(57)【特許請求の範囲】
【請求項１】
情報を表示可能な複数の表示画面と、
前記複数の表示画面どうしの端部が、略同一平面上で接近した第１ポジションと、離間した第２ポジションを採るよう相対的に移動可能に連結する連結機構と、
前記複数の表示画面どうしが第１ポジション又は前記第２ポジションであることを検知する検知手段と、
オペレーティングシステムを作動させるオペレーティングシステム制御部と、
１又は複数のアプリケーションを起動可能なアプリケーション制御部と、
前記複数の表示画面及び検知手段に電気的に接続される制御手段と、
を具え、
検知手段が、前記複数の表示画面どうしが第１ポジションであることを検知している状態から、所定時間内に、第２ポジションを検知し再度第１ポジションを検知するとトリガー信号を発するトリガー発信部を具え、
該トリガー発信部からのトリガー信号を受けて、オペレーティングシステム制御部又はアプリケーション制御部を介してオペレーティングシステム及び／又はアプリケーションを操作することを特徴とする電子機器。
【請求項２】
前記アプリケーション制御部は、複数のアプリケーションを起動し、
前記オペレーティングシステム制御部は、複数の表示画面の夫々に異なるアプリケーションを表示し、前記前記トリガー発信部からのトリガー信号を受けて、各表示画面に表示されている情報を、相互に入れ替える請求項１に記載の電子機器。
【請求項３】
前記アプリケーション制御部は、複数のアプリケーションを起動し、
前記オペレーティングシステム制御部は、複数の表示画面の夫々に異なるアプリケーションを表示し、前記トリガー発信部からのトリガー信号を受けて、ユーザの選択しているアクティブなアプリケーションが表示されている表示画面の情報を、複数の表示画面に亘って連続して表示する請求項１に記載の電子機器。
【請求項４】
前記オペレーティングシステム制御部は、前記トリガー発信部からのトリガー信号を受信した後、再度トリガー発信部からのトリガー信号を受信すると、オペレーティングシステム及び／又はアプリケーションに対する直前の操作をキャンセルする請求項１乃至請求項３の何れかに記載の電子機器。
【請求項５】
前記複数の表示画面の少なくとも２つにタッチパネルを具え、
前記制御手段は、前記検知手段が前記第１ポジションから前記第２ポジションへの移行を検知した状態で、一方又は両方のタッチパネルに操作を行なうと、前記検知手段が再度第１ポジションを検知したときに前記タッチパネルに対する操作に応じてオペレーティングシステム及び／又はアプリケーションを操作する請求項１乃至請求項４の何れかに記載の電子機器。
【請求項６】
相対的に移動可能に連結された複数の表示画面に情報を表示可能な電子機器の制御方法であって、
表示画面どうしの端部が、略同一平面上で接近した第１ポジションから、所定時間内に、離間した第２ポジションを検知し再度第１ポジションを検知すると、トリガー信号を発し、オペレーティングシステム及び／又はアプリケーションの操作を行なうことを特徴とする電子機器の制御方法。
【発明の詳細な説明】
【技術分野】
【０００１】
本発明は、複数の表示画面を有する電子機器に関するものであり、より具体的には、１つの表示画面に対して他の表示画面が回動、スライド又はこれらの組み合わせ等により相対的に移動可能な電子機器に関するものである。
【背景技術】
【０００２】
文字や画像、映像などの情報を表示可能な複数の表示画面を有する電子機器が知られている。この種の電子機器では、起動しているアプリケーション等に基づいて、表示画面毎に異なる情報を表示可能としたものも提案されている。
【０００３】
表示画面毎に異なる情報を表示可能な電子機器では、ユーザが一方の表示画面に表示された情報と、他方の表示画面に表示された情報とを入れ替えて表示したいという要望や、その他、アプリケーションの操作、オペレーティングシステムの操作等を行ないたいという要望がある。
【０００４】
特許文献１の２画面表示テレビジョン受信機では、２画面表示可能な表示部を有し、表示部に表示された２つの映像を操作ボタンの操作により、１画像表示に切り替えたり、操作ボタンの操作により、音声出力する映像を切り替えている。
【先行技術文献】
【特許文献】
【０００５】
【特許文献１】特開平６−３８１３０号公報
【発明の概要】
【発明が解決しようとする課題】
【０００６】
しかしながら、特許文献１のテレビジョン受信機では、ユーザは、映像の切替えや、音声の切替えに、ある特定の操作ボタンを選択して操作する必要があり、不便を感じることが考えられる。
【０００７】
本発明の目的は、複数の表示画面を有し、ユーザによる表示画面のスライド動作や回動動作をトリガーとして、表示画面に表示される情報を操作することのできる電子機器及びその制御方法を提供することである。
【課題を解決するための手段】
【０００８】
上記課題を解決するために、本発明の電子機器は、
情報を表示可能な複数の表示画面と、
前記複数の表示画面どうしを相対的に移動可能に連結する連結機構と、
前記複数の表示画面どうしが所定の位置関係となる第１ポジションと、該第１ポジション以外の第２ポジションであることを検知する検知手段と、
オペレーティングシステムを作動させるオペレーティングシステム制御部と、
１又は複数のアプリケーションを起動可能なアプリケーション制御部と、
前記複数の表示画面及び検知手段に電気的に接続される制御手段と、
を具え、
検知手段が、前記複数の表示画面どうしが第１ポジションであることを検知している状態から、所定時間内に、第２ポジションを検知し再度第１ポジションを検知するとトリガー信号を発するトリガー発信部を具え、
該トリガー発信部からのトリガー信号を受けて、オペレーティングシステム制御部及び／又はアプリケーション制御部を介してオペレーティングシステム及び／又はアプリケーションを操作するようにしたものである。
【０００９】
アプリケーションが起動している場合にトリガー発信部からのトリガー信号を受けて行なわれる操作として、アプリケーションの一時停止、オペレーティングシステムによるアプリケーションの起動、終了、表示の入替え、切替え、オペレーティングシステムのアラームの停止、メニュー画面やホーム画面の切替え等を例示できる。
【発明の効果】
【００１０】
本発明の電子機器によれば、表示画面の開閉動作やスライド動作により、表示画面どうしが予め設定された第１ポジションから、それ以外の第２ポジションに移行し、さらに、第１ポジションに戻ったことを検知したときに、オペレーティングシステムやアプリケーションの操作を行なうトリガー信号を発信して、オペレーティングシステムやアプリケーションを操作することができる。従って、ユーザは特定の操作ボタンを操作する必要がないから、電子機器の操作性を可及的に高めることができる。
【図面の簡単な説明】
【００１１】
【図１】図１は、本発明が適用される電子機器の一例を示す斜視図であって、表示画面どうしが略同一平面に位置し、接近した第１ポジションを示している。
【図２】図２は、図１の状態から表示画面どうしを離間させた状態(第２ポジション)を示す電子機器の斜視図である。
【図３】図３は、本実施例の電子機器のブロック図である。
【図４】図４は、電子機器が、図４(ａ)に示す第１ポジションから図４(ｂ)に示す第２ポジション(ｂ)に移行し、図４(ｃ)に示す第１ポジションに戻る遷移を表す説明図である。
【図５】図５は、動作の一例を示すフローチャート図である。
【図６】図６(ａ)及び図６(ｂ)は、アプリケーションの表示を入れ替えた状態を示す電子機器の説明図である。
【図７】図７(ａ)は、各表示画面にアプリケーションを表示している状態、図７(ｂ)は、一方のアプリケーションを全画面表示に切り替えた状態を示す説明図である。
【図８】図８(ａ)は、ブラウザを起動している状態、図８(ｂ)は、ブラウザを前ページに戻す操作を行なった状態を示す説明図である。
【図９】図９(ａ)は、電子書籍アプリケーションを起動している状態、図８(ｂ)は、次のページへ進める操作を行なった状態を示す説明図である。
【図１０】図１０は、表示画面を上下に並べて使用している状態を示す電子機器の説明図であって、図１０(ａ)は、各表示画面にアプリケーションを表示している状態、図１０(ｂ)は、一方のアプリケーションを全画面表示に切り替えた状態を示す説明図である。
【発明を実施するための形態】
【００１２】
本発明は、複数の表示画面(21)(31)を有し、少なくともその２つにタッチパネル(22)(32)を具え、プラットフォームとなるオペレーティングシステムを作動させると共に、該オペレーティングシステム上で１又は複数のアプリケーションを起動して、表示画面(21)(31)に文字、図形、画像、映像、動画等の情報を表示することのできる電子機器(10)に適用することができる。
【００１３】
以下、本発明の電子機器(10)について、携帯型の電子機器を例に挙げて図面を用いて説明するが、以下に示す具体的な電子機器の構造、構成は、説明のためのものであって、本発明を限定的に解釈すべきでないことは勿論である。
【００１４】
まず、本実施例に係る携帯型電子機器(10)の構造について説明を行なう。
電子機器(10)は、図１及び図２に示すように、文字、図形、画像、動画等の情報を表示可能な表示画面(21)(31)と、該表示画面の表面にユーザが触れることで操作可能なタッチパネル(22)(32)とを有する複数の表示部(20)(30)を、連結機構(40)によって相対的に開閉やスライド等により移動可能に連結したものである。これにより、第１表示画面(21)と第２表示画面(31)の相対的な位置関係を変えることができる。
【００１５】
図示の実施例では、第１表示画面(21)と第２表示画面(31)が略同一平面に位置し、且つ、第１表示部(20)の端部と第２表示部(30)の端部が接近した状態(以下「第１ポジション」と称する)と、第１表示画面(21)と第２表示画面(31)が略同一平面に位置してはいるが、第１表示部(20)の端部と第２表示部(30)の端部が矢印方向に相対的にスライドして離間した状態(以下「第２ポジション」と称する)を採ることができる電子機器(10)を例に挙げて説明する。
【００１６】
なお、前記第１ポジションは、上記に限定されるものではない。また、第２ポジションとは、第１ポジション以外の状態を意味し、上記に限定されるものではない。
例えば、開閉により表示画面どうしの位置関係の変わる電子機器の場合であれば、表示画面どうしが最も開いた状態を第１ポジションとすることができ、それ以外の状態を第２ポジションとすることができる。
また、第１表示画面に対して第２表示画面が重なった状態でスライドする電子機器では、第２表示画面が最も引き出された状態を第１表示画面とすることができる。
【００１７】
第１表示部(20)及び第２表示部(30)は、夫々図に示すように、一方の面、即ち、図１における上面が開口した筺体(23)(33)内に、情報を表示可能な表示画面(21)(31)が開口側から視認可能となるように収容されている。表示画面(21)(31)は、液晶ディスプレイを例示でき、後述する制御手段(60)(図３参照)に電気的に接続され、各種情報を表示可能となっている。なお、図１において、奥側に位置する表示部を第１表示部(20)、手前側に位置する表示部を第２表示部(30)と称する。
【００１８】
表示画面(21)(31)の開口側には、ユーザが指等で触れることにより操作可能なタッチパネル(22)(32)を有する。タッチパネル(22)(32)は、筺体(23)(33)の開口を塞ぐように配設され、表示画面(21)(31)が視認可能となるよう透明に形成されている。タッチパネル(22)(32)として、静電容量方式や抵抗膜方式のものを例示できる。
タッチパネル(22)(32)は、タッチパネル判定部(25)(35)を介して制御手段(60)(図３参照)に電気的に接続されており、ユーザがタッチパネル(22)(32)を指等で触れて操作することにより、該当する座標情報がタッチパネル判定部(25)(35)を介して制御手段(60)に入力され、各種操作等に用いられる。
【００１９】
タッチパネル(22)(32)を用いたユーザの操作として、比較的短くタッチパネル(22)(32)に触れるタップ、ダブルタップや、タッチパネル(22)(32)に触れる時間が、これらよりも長いドラッグ、フリック、ピンチ、ロングタッチを例示できる。
【００２０】
第１表示部(20)と第２表示部(30)は、連結機構(40)により、相対的に移動可能となっており、本実施例の電子機器(10)では、図１及び図２に示すように、第１表示部(20)を第２表示部(30)に対してスライド可能としている。なお、図示の電子機器(10)の連結機構(40)について、その詳細な説明及び図示は省略するが、電子機器(10)は、図２の状態から第１表示部(20)を第２表示部(30)に対して回動し、第１表示画面(21)を起こした状態、さらに、第２表示部(30)の上に第１表示部(20)を重ねた状態でも使用することができる。
【００２１】
第１表示部(20)と第２表示部(30)との位置関係は、検知センサ(80)によって検知することができる。
検知センサ(80)は、第１表示部(20)と第２表示部(30)の接近、離間を検知する接触型のスイッチや、図１に示すように、マグネット(82)とマグネットセンサ(81)からなる非接触型のセンサ等を例示できる。
検知センサ(80)も制御手段(60)(図３参照)に電気的に接続されている。
【００２２】
検知センサ(80)として、本実施例では、図１に示すように、第１表示部(20)の端部にマグネット(82)を埋設し、上記した第１ポジションである接近状態にて該マグネット(82)と接近する第２表示部(30)の端部にマグネットセンサ(81)を収容し、第１表示部(20)と第２表示部(30)の接近、離間を検知できるようにしている。これにより、電子機器(10)が図１に示すように、表示画面(21)(31)どうしが接近した第１ポジションにあるか、それ以外の状態である第２ポジションにあるかを検知することができる。
【００２３】
図３は、本発明の電子機器のブロック図の一例を示している。
電子機器(10)のすべての制御は、図３に示すように、ＣＰＵ等から構成される制御手段(60)により行なわれる。制御手段(60)には、電子機器(10)にインストールされているオペレーティングシステムを制御するオペレーティングシステム制御部(70)、オペレーティングシステム上で各種のアプリケーションを起動するアプリケーション制御部(71)を有し、１又は複数のアプリケーションを同時に立ち上げる機能を有するものを例示できる。
【００２４】
制御手段(60)には、前述した第１表示画面(21)、第２表示画面(31)が電気的に接続されており、オペレーティングシステムや各アプリケーションに関する情報を表示可能となっている。
【００２５】
また、第１タッチパネル(22)及び第２タッチパネル(32)は、夫々第１タッチパネル判定部(25)、第２タッチパネル判定部(35)を介して制御手段(60)に電気的に接続されており、第１タッチパネル(22)及び第２タッチパネル(32)からのユーザの入力は、タッチパネル判定部(25)(35)を介して制御手段(60)に送信され、制御手段(60)は、入力に応じて、オペレーティングシステム制御部(70)、アプリケーション制御部(71)により、オペレーティングシステムや起動中のアプリケーションを操作し、表示画面(21)(31)の情報を編集、操作等行なう。
【００２６】
オペレーティングシステムとして、各種基本ソフトを含むシステムソフトウェアを例示することができる。
アプリケーションとして、ユーザの所望によりダウンロード等される各種のソフトウェアを例示できる。アプリケーションとして、ブラウザ、電子書籍、ゲーム、ワープロ等を挙げることができる。
【００２７】
制御手段(60)には、その他、電子機器(10)の各種動作やデータ等を記憶するメモリ(61)等が電気的に接続されている。
【００２８】
一般的な操作においては、制御手段(60)は、第１表示画面(21)及び第２表示画面(31)への情報の表示、第１タッチパネル(22)や第２タッチパネル(32)の入力に基づく各種制御に基づいて、第１表示画面(21)や第２表示画面(31)に表示される情報を切り替えることができる。
【００２９】
より具体的には、電子機器(10)の一般的な動作として、オペレーティングシステム制御部(70)によりオペレーティングシステムを作動させ、ユーザの所望に応じた１又は複数のアプリケーションをアプリケーション制御部(71)により起動して、第１表示画面(21)及び／又は第２表示画面(31)にオペレーティングシステムやアプリケーションの情報を表示する。
【００３０】
ユーザのタッチパネル(22)(32)を用いた操作は、タッチパネル判定部(25)(35)を通じて制御手段(60)に入力され、オペレーティングシステム制御部(70)やアプリケーション制御部(71)により処理される。
【００３１】
本発明では、さらに、第１表示画面(21)と第２表示画面(31)との相対的な位置関係を変えることで、上記オペレーティングシステム及び／又はアプリケーションの操作を行なうことができるようにしている。
【００３２】
表示画面(21)(31)の相対的な位置関係の具体例として、図４に示すように、両表示画面(21)(31)が接近した第１ポジションから(図４(ａ))、所定時間内に両表示画面(21)(31)が離間した第２ポジションに移行し(図４(ｂ))、さらに第１ポジションに戻ったこと(図４(ｃ))を例示できる。これら相対位置の変化は、検知センサ(80)により検知することができ、該検知センサ(80)からの出力に基づいて、オペレーティングシステム制御部(70)によるオペレーティングシステムの操作、及び／又は、アプリケーション制御部(71)によるアプリケーションが操作されるようにしたものである。
【００３３】
より具体的には、制御手段(60)は、図３に示すように、前記検知センサ(80)からの出力に基づいてトリガー信号を発信するトリガー発信部(72)を有する構成とすることができる。トリガー発信部(72)は、フローチャート図５に示すように、検知センサ(80)の検知により、第１表示画面(21)と第２表示画面(31)の位置関係が、第１ポジションから所定時間内に第２ポジションに移行し、第１ポジションに戻ったことが検出されると(ステップ１のＹｅｓ)、トリガー信号を発する(ステップ２)。
【００３４】
制御手段(60)は、トリガー信号を受けると、アプリケーションが起動中であるかどうかを判定し(ステップ３)、アプリケーションが起動中であれば(ステップ３のＹｅｓ)、トリガー信号に基づき、アプリケーション制御部(71)により起動中のアプリケーションの操作を行なう。
【００３５】
アプリケーションが起動中でない場合には(ステップ３のＮｏ)、前記トリガー信号に基づき、オペレーティングシステム制御部(70)により、オペレーティングシステムの操作を行なう。
【００３６】
アプリケーションの操作として、例えば、図６(ａ)に示すように、２つのアプリケーションを起動し、第１表示画面(21)と第２表示画面(31)に各アプリケーションを表示(Ａ、Ｂ)している場合、トリガー信号に基づき、図６(ｂ)に示すように、表示されているアプリケーションを第１表示画面(21)と第２表示画面(31)で入れ替える操作を例示できる。
【００３７】
また、図７(ａ)に示すように、２つのアプリケーションを起動し、第１表示画面(21)と第２表示画面(31)に各アプリケーションを表示(Ａ、Ｂ)している場合、トリガー信号に基づき、図７(ｂ)に示すように、何れか一方の表示画面(図示では第２表示画面(31))に表示されているアプリケーションを、第１表示画面(21)と第２表示画面(31)に亘って全画面表示(Ａ)する操作を例示できる。
【００３８】
なお、全画面表示されるアプリケーションは、第２表示画面(31)に表示されているものに限定されず、第１表示画面(21)のアプリケーションを全画面表示してもよい。
【００３９】
また、ユーザが全画面表示を所望するアプリケーションを選択できるようにすることもできる。例えば、第１ポジションから第２ポジションへの表示画面(21)(31)の移行の際に、ユーザが何れかのタッチパネル(22)又は(32)に触れておくことで、触れているタッチパネル(22)又は(32)に対応する表示画面(21)又は(31)のアプリケーションを全画面表示するようにすればよい。
【００４０】
トリガー信号に基づく操作の例として、さらに、アプリケーションとしてブラウザを起動し、図８(ａ)に示すように、全画面表示(Ａ)している場合、トリガー信号に基づき、図８(ｂ)に示すように、一画面前に表示していたブラウザ画面(Ａ’)に戻る操作を例示できる。
【００４１】
アプリケーションとして、図９(ａ)に示すように、電子書籍アプリケーションを起動している場合、トリガー信号に基づき、図９(ｂ)に示すようにページを捲る操作を例示できる。
【００４２】
オペレーティングシステムの操作として、アラーム鳴動中であれば、トリガー信号に基づきアラームの停止を行なう操作、ホーム画面とメニュー画面の切替え操作等、音量のオン、オフ切替えなどを挙げることができる。
【００４３】
また、前記トリガー信号に基づいて、アプリケーションの起動や、起動中のアプリケーションの終了、一時停止等の操作を行なうこともできる。アプリケーションの起動をトリガー信号に基づいて行なう場合、起動するアプリケーションとして、ユーザが予め設定したアプリケーションとしたり、最後に起動したアプリケーションとすることができる。
【００４４】
さらに、上記では、第１ポジションとして、第１表示部(20)と第２表示部(30)が接近した状態、第２ポジションとして、第１表示部(20)と第２表示部(30)が離間した状態を示している。しかしながら、例えば、第１表示部(20)と第２表示部(30)が回動可能な連結機構(40)にて連繋されている場合、検知センサ(80)にポテンショメータ(83)(図３参照)等を用い、第１表示部(20)が、ある設定角度又は任意の角度で一定時間以上保持された状態を第１ポジションとし、その角度から第１表示部(20)が第２表示部(30)に対して回動した状態を第２ポジションとして、所定時間以内に第１ポジションに戻ったことを検知センサ(80)が検知したときに、トリガー信号を発するようにしてもよい。
【００４５】
さらには、任意の角度で一定時間以上保持された状態を第１ポジションとし、その角度から開き方向又は閉じ方向に第１表示部(20)が回動したことを検知センサ(80)が検知し、その逆方向に再度第１表示部(20)が回動したことを検知すると、トリガー信号を発するようにしてもよい。
【００４６】
加えて、前記トリガー発信部(72)からのトリガー信号を受信した後、再度トリガー発信部(72)からのトリガー信号を受信すると、オペレーティングシステム及び／又はアプリケーションに対する直前の操作をキャンセルするようにしてもよい。例えば、上記した何れかの操作のキャンセル操作や、図６乃至図８の夫々(ｂ)から(ａ)に戻る操作を例示できる。
【００４７】
上記で例示したトリガー信号に基づく各操作について、例えば、第１ポジションから第２ポジションへ移行した状態で、タッチパネル(22)(32)の一方又は両方にユーザが何らかの操作、具体的には、タップ、ロングタップ、フリック、ドラッグ等の操作を行なうことで、アプリケーション及び／又はオペレーティングシステムに対して行なわれる操作を選択可能とすることもできる。
【００４８】
具体的実施形態として、図９(ａ)に示す第１ポジションから、電子機器(10)を第２ポジションに移行させた状態で、ページ進行側の第２タッチパネル(32)をタップしてから第１ポジションへ戻すと、次のページを進める操作(図９(ｂ))を行ない、逆に、ページ戻り側の第１タッチパネル(22)をタップしてから第１ポジションへ戻すと、前ページへ戻る操作とすることができる。その他、アプリケーションやオペレーティングシステムに応じて、選択可能な操作を設定すればよい。
【００４９】
また、上記では、何れも表示画面(21)(31)が左右に並んだ状態での操作例を示しているが、図１０に示すように、表示画面(21)(31)が上下に並んだ状態で実施することも勿論可能である。
【００５０】
加えて、電子機器(10)の適所に加速度センサ(図示せず)等の電子機器(10)の向きを検知可能な方向検知手段を配備し、該方向検知手段により検知された電子機器(10)の向きに応じて、トリガー信号に基づくアプリケーション及び／又はオペレーティングシステムの操作を変えることもできる。
【００５１】
上記のとおり、本発明では、表示画面の相対的な位置関係を変えることで、オペレーティングシステムやアプリケーションの各種操作を実行可能としているから、感覚的に操作しやすい電子機器(10)を提供できる。
【産業上の利用可能性】
【００５２】
本発明は、複数の表示画面(21)(31)を有する電子機器の操作性の向上に有用である。
【符号の説明】
【００５３】
(10)  電子機器
(20)  第１表示部
(21)  第１表示画面
(22)  第１タッチパネル
(30)  第２表示部
(31)  第２表示画面
(32)  第２タッチパネル
(40)  連結機構
(60)  制御手段
(70)  オペレーティングシステム制御部
(71)  アプリケーション制御部
(72)  トリガー発信部
【図１】
0005681013.tif 000002
【図２】
0005681013.tif 000003
【図３】
0005681013.tif 000004
【図４】
0005681013.tif 000005
【図５】
0005681013.tif 000006
【図６】
0005681013.tif 000007
【図７】
0005681013.tif 000008
【図８】
0005681013.tif 000009
【図９】
0005681013.tif 000010
【図１０】
0005681013.tif 000011